(57)【特許請求の範囲】
【請求項１】
陰極線管のネックに取り付けられるように作られ、リトレース・コンデンサに結合されてリトレース共振回路を形成する偏向巻線と、
フライバック変成器と、
前記リトレース共振回路と前記フライバック変成器に結合され、偏向周波数に関連する周波数のスイッチング信号に応答して、前記偏向巻線に偏向電流を発生し、且つ前記変成器を介して該変成器の高圧巻線に変成器結合される第１のフライバック・パルス電圧を発生するためのスイッチング手段と、
前記高圧巻線に結合され、前記変成器結合されるパルス電圧に応答し、整流された第１の電圧（ＨＶ／３）と整流されたアルタ電圧（Ｕ）を発生するための第１の整流器（Ｄ４−Ｄ９）と、
前記フライバック変成器の１次巻線と前記スイッチング手段の接続点に結合され、前記第１のフライバック・パルス電圧に応答し、整流された第２の電圧を発生する第２の整流器と、
前記第１の電圧と第２の電圧を合成し、前記陰極線管の電極電圧を発生する手段とを具えた、テレビジョン装置用電源。
【発明の詳細な説明】
【０００１】
【産業上の利用分野】
本発明は、テレビジョン装置用の電源に関する。本発明は特に、スクリーン・グリッド電極のような陰極線管（ＣＲＴ）のグリッド電極の電圧を発生するための高電圧電源に関する。
【０００２】
【発明の背景】
従来のテレビジョン受像機では、水平フライバック変成器が水平出力トランジスタのコレクタとＢ＋電源電圧（直流電源）との間に結合される。水平出力トランジスタはフライバック変成器と大地との間に結合され、Ｂ＋電源から電流を導いてフライバック変成器を起動し、水平偏向巻線中にのこぎり波水平偏向電流を発生し、水平走査を繰り返し行う。水平出力トランジスタのベースは、水平発振器に結合され、水平発振器は水平出力トランジスタのスイッチング動作を制御する。リトレース・コンデンサは水平出力トランジスタのコレクタと大地との間に結合される。
【０００３】
水平出力トランジスタのコレクタとリトレース・コンデンサにおいて、リトレース期間の間、高電圧（例えば１０００Ｖ）のリトレース・パルス電圧が発生される。フライバック変成器は、典型的には、高電圧の直流電源に必要とされる高電圧の交流入力を発生するために使用される。フライバック変成器の１次巻線と２次巻線の適当な巻数比により、変成器に高電圧が発生されて整流され、リトレースの間、アルタ（ｕｌｔｏｒ）電圧が発生される。
【０００４】
従来技術による１つの構成では、水平出力トランジスタのコレクタに結合される整流器はリトレース・パルス電圧から直流電圧を発生し、直流電圧はＣＲＴのスクリーン・グリッドに結合される。ビーム電流負荷が増加すると、コレクタの最大電圧が増加し、従って、スクリーン・グリッドの直流電圧が増加する。
【０００５】
従来技術による別のテレビジョン受像機では、スクリーン・グリッド電圧は、フライバック変成器の高電圧巻線から生じる整流された高電圧に応答する分圧器の端子に発生され、アルタ電圧の１／３にほぼ等しい。分圧器に発生する整流された高電圧の一部はスクリーン・グリッド電圧となる。
【０００６】
アルタ電圧調整器を持たないテレビジョン受像機では、ビーム電流負荷が増加すると、フライバック変成器の２次巻線における高電圧は減少し、従ってスクリーン・グリッド電圧は減少する。スクリーン・グリッド電圧を調整することが望ましい。
【０００７】
【発明の概要】
本発明の出力を具体化する、テレビジョン装置用の電源に含まれている偏向巻線は、陰極線管のネックに取り付けられるように作られ、且つリトレース・コンデンサに結合されて、リトレース共振回路を形成する。スイッチング手段は、偏向周波数に関連する周波数のスイッチング信号に応答し、リトレース共振回路に結合されると共にフライバック変成器に結合される。偏向電流は偏向巻線に発生され、変成器を介して変成器の高電圧巻線に変成器結合される第１のフライバック・パルス電圧が発生される。第１の整流器は高電圧巻線に結合され、変成器結合されるパルス電圧に応答し、整流された第１の電圧と整流されたアルタ電圧を発生する。第２の整流器は第１のフライバック・パルス電圧に応答し、変成器を迂回して、整流された第２の電圧を発生する。第１の電圧と第２の電圧は合成され、陰極線管の電極電圧を発生する。
発明の構成
陰極線管（１００）のネックに取り付けられるように作られ、リトレース・コンデンサ（ＣＲ）に結合されてリトレース共振回路を形成する偏向巻線（ＬＹ）と、
フライバック変成器（Ｔ１）と、
前記リトレース共振回路と前記フライバック変成器に結合され、偏向周波数（ｆＨ）に関連する周波数のスイッチング信号（Ｑ１のベースに供給される信号）に応答して、前記偏向巻線に偏向電流を発生し、且つ前記変成器を介して該変成器の高圧巻線（Ｘ２）に変成器結合される第１のフライバック・パルス電圧（Ｑ１のＤに発生する電圧）を発生するためのスイッチング手段（Ｑ１）と、
前記高圧巻線に結合され、前記変成器結合されるパルス電圧に応答し、整流された第１の電圧（ＨＶ／３）と整流されたアルタ電圧（Ｕ）を発生するための第１の整流器（Ｄ４−Ｄ９）と、
前記フライバック変成器の１次巻線と前記スイッチング手段の接続点に結合され、前記第１のフライバック・パルス電圧に応答し、整流された第２の電圧（ＶＯＵＴ）を発生する第２の整流器（Ｄ２）と、
前記第１の電圧と第２の電圧を合成し、前記陰極線管の電極電圧（ＶＳ）を発生する手段（２００）とを具えた、テレビジョン装置用電源。
【０００８】
【実施例】
図１に示すように、水平偏向回路はＣＲＴ１００の水平偏向巻線ＬＹを備えている。水平出力変成器Ｔ１（フライバック変成器としても知られている）の１次巻線Ｘ１は、直流電源電圧Ｂ＋が発生される端子と水平出力トランジスタＱ１のドレインとの間に結合される。水平発振器２０は、ドライバ段２２を介して、水平出力トランジスタＱ１のゲートに結合される。リトレース・コンデンサＣＲは水平出力トランジスタＱ１と並列に結合される。ダンパー・ダイオードＤ１は、トランジスタＱ１のドレインにおける最小電圧をほぼ大地電位にクランプする。
【０００９】
水平出力トランジスタＱ１は、トレース期間の間電子ビームが水平方向に走査すると巻線Ｘ１と巻線ＬＹを通して電流を導き、リトレースの間しゃ断することにより、フライバック・パルスすなわちリトレース・パルス１０をコンデンサＣＲ、巻線Ｘ１、およびトランジスタＱ１のドレインに発生する。Ｓ字成形コンデンサすなわちトレース・コンデンサＣＴは偏向巻線と大地間に結合される。図１に示す回路構成要素に加えて、偏向回路は通常、糸巻ひずみ補正回路を含んでいる。しかしながら、図面を簡単にするために、これらは図示されていない。変成器Ｔ１の２次巻線Ｘ２の対応する部分は、通常のように６個の整流用ダイオードＤ４〜Ｄ９と直列に結合される。
【００１０】
アルタ電圧Ｕは、水平出力変成器Ｔ１の２次巻線Ｘ２からダイオードＤ４を介して発生される。アルタ電圧Ｕの約１／３に等しい電圧ＨＶ／３が巻線Ｘ２の電圧の低い方の部分に発生される。
【００１１】
ダイオードＤ２のアノードは巻線ＬＹとトランジスタＱ１の間に結合され、カソードはフィルタ・コンデンサＣＰに結合され、ピーク（ｐｅａｋ）電圧整流器を形成する。ダイオードＤ２が導通し、リトレース期間の間コンデンサＣＰを充電すると、一定のフライバック・パルス１０が発生される。コンデンサＣＰの出力電圧ＶＯＵＴはリトレース期間の間最大レベルにある。直流電圧ＶＯＵＴと電圧ＨＶ／３はいずれも調節可能に合成され、抵抗Ｒ１，Ｒ２，Ｒ３，Ｒ５およびＲ６を含む分圧器２００を介して、スクリーン・グリッド電極に結合される。
【００１２】
本発明の特徴に従って、分圧器２００で電圧ＨＶ／３と電圧ＶＯＵＴを合成すると、分圧器２００の端子２００ｂに発生するクリーン・グリッド電圧の変動率が改善される。例えば、ビーム電流ｉＢＥＡＭが増加すると、変成器Ｔ１の２次巻線Ｘ２の出力インピーダンスのよく知られている作用のために、電圧ＨＶ／３は減少する。一方、リトレース・パルス１０の最大電圧は、ビーム電流ｉＢＥＡＭが増加すると増加する傾向にある。分圧器２００で電圧ＶＯＵＴと電圧ＨＶ／３を合成すると、前述のように、電圧ＶＯＵＴはスクリーン・グリッド電圧を調整するように増加する傾向にあるので、電圧ＨＶ／３の減少は補償される。
【００１３】
電圧ＶＯＵＴが結合される分圧器２００の端子は、スクリーン・グリッド電圧ＶＳに必要とされる電圧範囲に従って選択される。導体３００を通る結合（図１に破線で示す）は、スクリーン・グリッド電圧ＶＳに要する電圧範囲の一例（７５０〜１６００ボルト）を示し、導体３０１を通る結合は電圧ＶＳに要する電圧範囲の一例（２４０〜６００ボルト）を示す。有利なことに、各例において、スクリーン・グリッド電圧ＶＳの電圧変動率が、ビーム電流の変化に関して改善される。
【図面の簡単な説明】
【図１】本発明によるテレビジョン装置の電源を示す概略図である。
【符号の説明】
１０    フライバック（リトレース）パルス
２０    水平発振器
２２    水平増幅器（ドライバ段）
１００    ＣＲＴ（陰極線管）
２００    分圧器
３００    導線
３０１    導線
【図１】
0003571086.tif 000002